(57)【特許請求の範囲】
【請求項１】
少なくとも１つの電子回路（５２）と，前記電子回路に電力を供給するように設計された電池（５３）とを備えたダイバー用の装置において，
前記ダイバー用装置が更に電子回路（５２）によって制御され，前記電池（５３）によって電力を供給される，少なくとも１つのアクチュエータを備え，
前記電子回路及び前記電池は，疎水性材料のブロック内に含まれると共に，
前記アクチュエータは，圧縮機を駆動するモータであり，前記疎水性材料のブロック（５１）内にダクト（５７ａ，５７ｂ，５７ｃ）を備え，前記モータのロータは，前記ダクトの内部に収容され，ステータは，前記疎水性材料のブロック内に埋設されることを特徴とするダイバー用の装置（１７，２２）。
【請求項２】
前記疎水性材料のブロックは，樹脂ブロックであることを特徴とする請求項１記載の装置。
【請求項３】
前記電池は，電気的接触を伴わずに再充電可能なタイプであることを特徴とする請求項１又は２記載の装置。
【請求項４】
前記電池は，電磁誘導充電タイプであることを特徴とする請求項１〜３いずれか１項記載の装置。
【請求項５】
コントロールパネルを更に備えることを特徴とする請求項１〜４いずれか１項記載の装置。
【請求項６】
前記電子回路と前記コントロールパネルとの間の通信手段を更に備えることを特徴とする請求項５記載の装置。
【請求項７】
前記通信手段は，光信号及び／又は無線信号及び／又は音波信号を送信／受信するための少なくとも１つの手段を備えることを特徴とする請求項６記載の装置。
【請求項８】
前記光信号を送信／受信する手段は，光ファイバーケーブルをそれに接続するように設計された少なくとも１つの光ソケット（５６ａ，５６ｂ，５６ｃ）を備えることを特徴とする請求項７記載の装置。
【請求項９】
圧力センサ（５４）及び／又は温度センサ（５５）を更に備えることを特徴とする請求項１〜８いずれか１項記載の装置。
【請求項１０】
遠隔的に制御されるように設計されたバルブ又はシャッタから成る少なくとも１つのアクチュエータを更に備えることを特徴とする請求項１〜９いずれか１項記載の装置。
【請求項１１】
呼吸気体ボンベに最初に接続され，次に気体ダクトによって安定化ジャケット上の少なくとも１つのバッグ（１１，２４）に接続された請求項１〜１０いずれか１項記載の装置を備えることを特徴とするダイバー用の損失空気を安定化させるジャケット（１００）。
【請求項１２】
安定化のための気体ボンベ（２１）に最初に接続され，次に気体ダクトによって安定化ジャケット上の少なくとも１つのバッグ（１１，２４）に接続された請求項１〜１０いずれか１項記載の装置を備えることを特徴とするダイバー用の再利用空気を安定化させるジャケット（１００）。
【請求項１３】
前記コントロールパネル（２３）は，前記装置の予期された潜水において安定化機能を作動／停止させるための光スイッチ（３３）を備えることを特徴とする請求項６に従属する請求項１１又は１２記載の安定化ジャケット。
【請求項１４】
前記コントロールパネル（２３）は，前記装置の
・低速浮上，
・急浮上，
・低速潜降，
・急潜降，
・休止
の機能のうちの少なくとも１つをそれぞれ作動／停止させるための少なくとも１つの光スイッチ（２９，３０，３１，３２，３４）を更に備えることを特徴とする請求項１３記載の安定化ジャケット。
【請求項１５】
請求項１〜１０いずれか１項記載の装置を備えることを特徴とするダイバー用の閉回路リサイクル装置。
【発明の詳細な説明】
【発明の詳細な説明】
【０００１】
本発明は，過酷な環境，特に海洋環境において作動し，特に潜水器具に適した電子装置の分野に位置づけられる。
【０００２】
海洋環境，例えば潜水器具において電子装置の使用が必要な活動がある。しかし，海水は高伝導性の環境であり，電子機器と海水との間の接触を避けることが不可欠である。
【０００３】
海水から電子回路を保護するための１つの既知の解決手段は，密封の容器又はボックス内に回路を密閉し，接続ケーブルに密封コネクタを用いることである。しかしながら，容器及びコネクタの両方に対する絶対的で永続的な防水性を保証するのは難しい。また，容器は，潜水などの個々の活動との互換性がさほどない容積及び質量を有する。
【０００４】
本発明は，これらの困難を解決することを目的とする。このため，少なくとも１つの電子回路と，前記回路に電力を供給するように設計された電池とを有し，回路及び電池は，疎水性材料のブロックに含まれるダイバー用の装置を提案する。
【０００５】
疎水性材料は，水に対して反応しにくく，非導電性で，非酸化性である。包埋ブロック（bloc d'inclusion）は，互いに適用され，且つ周囲にガスケットを備える少なくとも２つのシェルから構成されてもよく，包埋ブロックは，装置を開放して回路又は電池で作動することを可能にするが，有利には単一部品として作成される。
【０００６】
有利には，装置は，疎水性材料の前記ブロック内に含まれ，前記電子回路によって制御され，前記電池によって電力を供給される，少なくとも１つのアクチュエータを更に備えてもよい。
【０００７】
一般的に，アクチュエータは，リモコン装置によって命令された作業を実行することができる部材である。アクチュエータの例としては，電気モータ，ラム，電磁石，圧電セラミックなどである。
【０００８】
多くのアクチュエータは海水に対して影響を受けやすいので，本発明において用いられるアクチュエータ（複数可）もまた，疎水性材料のブロック内に含まれることが特に有利である。
【０００９】
有利には，疎水性材料のブロックは，樹脂，例えば硬化成分によって重合可能の２成分樹脂のブロックであってもよい。重合性樹脂は，水に対して非感受性であることが知られている。
【００１０】
また，重合樹脂のブロックの長所は，低重量であり（海水内での相対的重さは略０）小型であることである。
【００１１】
電子回路が樹脂ブロック内に埋設されると，その上で作動することはもはや可能ではないが，他方，樹脂は伝導性ではないので，マイクロプロセッサを再プログラムするか，又は電磁波若しくは光リンクによってメモリを満たすことは依然として可能である。
【００１２】
有利には，電池は，電気的接触を伴わずに充電され得るタイプ，特に電磁誘導充電電池であってもよい。
【００１３】
そして，浸水やショートを引き起こしがちである外部充電器用の金属ソケットタイプは避ける。電池が疎水性材料ブロック内に含まれているので，密封が不十分な蓄電池室内で起こり得る浸水も回避される。
【００１４】
有利には，装置はまた，コントロールパネルを備えてもよい。
【００１５】
このコントロールパネルは，装置とダイバーとの間での対話手段を構成する。コントロールパネルは，装置自体上に配置してもよいし，又は，好ましくは疎水性材料ブロックからずれていてもよい。
【００１６】
有利には，装置は，前記電子回路と前記コントロールパネルとの間の通信手段を更に備えてもよい。
【００１７】
コントロールパネルが疎水性材料ブロックから分離される場合，情報を送信可能にし，及び／又はダイバーからコマンドを受信可能にする，前記電子回路と前記コントロールパネルとの間の通信手段を備える装置に有利であり，これらの通信手段は，ブロック及びパネルの表面又は内部に配置される。
【００１８】
ブロックからずれている場合，コントロールパネルは，例えば，ダイバーの手首に携帯される。
【００１９】
有利には，通信手段は，光信号及び／又は無線信号及び／又は音波信号を送信／受信するための少なくとも１つの手段を備えてもよい。
【００２０】
これらの通信手段は海水に対して反応しにくい。海水は導電媒体であるので，電波は海水の中で十分に伝播しないものの，短距離で３０〜４０kHzの間にあるいくつかの無線周波数が用いられてもよい。
【００２１】
有利には，光信号の送信／受信のための手段は，光ファイバーケーブルに接続するための少なくとも１つの光ソケットを備えてもよい。
【００２２】
光信号は，短距離の水中を伝播することができるが，これらの信号を搬送するための光ファイバーケーブルを用いることが好ましい。
【００２３】
従って，装置は，光ケーブルの端部ソケットに対する接続の手段を調達し，電気的接触がなく，金属ソケット及び／又は電気ソケットではなく，外側からの信号を送信及び受信するための光ソケットを備える。
【００２４】
従って，本発明による装置は，水に対して本質的に反応しにくく，
・電子回路は，海洋環境からの腐食から電子回路を保護する材料によって全体が包囲され，
・電池は誘導式で充電され，このため，充電器を接続するためのソケットが装置になく，水の侵入を構成でき，
・信号の入力及び出力（コマンド，測定値など）は，材料ブロックに接続された光ファイバー又は電波によってなされ，その端部に密封コネクタを有する電気ケーブルを接続するためのソケットを備えていない。
【００２５】
有利には，装置は，圧力センサ及び／又は温度センサを更に備えてもよい。
【００２６】
これらのセンサは，装置内に海水のための出入口を構成しないように，樹脂ブロックに一体化される。圧力センサは，後述の潜水における安定化用途（applications de stabilisation）において有用になる。
【００２７】
有利には，装置のアクチュエータは，少なくとも圧縮機を駆動する１つのモータを備えてもよく，前記圧縮機は前記材料ブロック内のチャネルを備え，前記モータのロータは前記チャネルの内部に収容され，ステータは前記材料ブロック内に埋設される。
【００２８】
潜水におけるダイバーを一定に保つ用途（application a la stabilisation）において，電子装置は，気体のバッグを膨張又は収縮させるために用いられてもよく，対応するコマンドが，上記のコントロールパネルによって供給される。この場合，装置の樹脂ブロックに一体化される圧縮機，例えばスクリュー圧縮機を駆動するモータに有利である。このような圧縮機は，その後，駆動された気体を受けるように意図された樹脂ブロック内のチャネルを備えてもよく，この気体は，樹脂ブロックに封止的に接続されたダクトによって導かれる。モータは，気体を駆動するためのこのチャネル内にロータを備えてもよく，このモータは樹脂ブロック内に埋設されており，電子装置の電池によってエネルギーを供給されるステータによって回転される。この圧縮機は，呼吸に適した空気を循環させるように設計されるため，この圧縮機はオイルフリー圧縮機とする。
【００２９】
有利には，アクチュエータは，遠隔的に制御されるように設計されたバルブ又はシャッタを備えてもよい。
【００３０】
安定化バッグを膨張させるために用いられた気体が，加圧された気体ボンベによって供給される場合，ボンベ及びバッグを装置に接続し，例えば，樹脂ブロック内に含まれて，モータが備えられた電子回路によって開放及び閉止が遠隔的に制御できるバルブ又はシャッタを開放して気体を通過可能にするだけでよい。
【００３１】
本発明は，また，ダイバー用の損失空気を安定化させるジャケットに関し，まず呼吸気体ボンベに接続され，次に気体管によって安定化ジャケット上の少なくとも１つのバッグに接続された本発明による装置を備える。
【００３２】
ダイバーの安定化ジャケット（又は「ＢＣジャケット」）は，ダイバーの潜水及び／又は潜降若しくは浮上の速度を，ダイバーが調節することを可能にし，潜降においては，一旦ダイバーが必要な深さに到着すれば，ダイバーは，この深さでの均衡状態を得るために自身の「ＢＣジャケット」上のバッグ（複数可）をわずかに膨張させる。その後に，「ＢＣジャケット」の膨張は，ダイバーを浮上させ，「ＢＣジャケット」の収縮は，このような浮上を停止する。
【００３３】
「ＢＣジャケット」は，口によって，又は「ＢＣジャケット」が圧縮空気ボンベに直接接続される場合には，該ボンベを引くことによって膨張する。バッグ（複数可）の収縮の間に，気体が水中に漏れるので，その後，損失空気モードで機能する。
【００３４】
装置は，まず気密の気体管によって減圧弁を備える呼吸気体ボンベに接続され，次に安定化ジャケットの少なくとも１つの気体バッグに接続される，圧力センサと少なくとも１つの圧縮機又はモータ式バルブとを備える。ジャケットが，ジャケット上の位置に（例えば，ダイバーの胸，ダイバーの背中，又はダイバーの肩に）グループ化されたいくつかのバッグを備える場合，ダイバー又はコマンドの位置に従ってバッグの膨張を個別に取り扱うようにバッグのグループごとに１つの圧縮機（例えば前方のバッグに対して１つの圧縮機，後部にバッグに対して１つ，ショルダーバッグに対して１つ）を備える装置に対して有利であり，例えば，ユーザの肩に位置するバッグは，ユーザの垂直位置における浮上を提供する。
【００３５】
より単純には，圧縮空気ボンベからバッグへの空気の通過は，モータ式バルブ又はシャッタを通じて行うことができる。
【００３６】
圧縮機又はバルブがバッグの気密性を維持するように設計されているので，シャッタを有するバッグを備える必要はない。
【００３７】
空気は，バッグが空になる方向に，圧縮機からバルブを通じて漏れる。空気は，ダイバーの全ての位置，特にダイバーの頭の下方のバッグから漏れる可能性がある。このため，空気排出手段がバッグの各コーナに配置されることが有利である。例えば，空気排出ダクトはバッグの内部壁を越え，１つ以上の母線(generatrice)に沿った開口部を備えてもよい。
【００３８】
本発明はダイバー用の再利用空気の安定化ジャケットにも関し，まず安定化のための気体ボンベに接続され，次に気体ダクトを通じて安定化ジャケット上の少なくとも１つのバッグに接続された本発明による装置を備えてもよい。この場合，安定化のために用いられた気体は，呼吸のために意図された気体ボンベから得られず，専用のボンベから来る。その上，気体は，バッグ（複数可）の収縮の間にも失われず，圧縮機によってこの専用のボンベに戻される。ここで専用のボンベは例えば半リットルの小さなボンベであり，圧縮機のパワーと互換性がある，呼吸空気ボンベより非常に低い圧力，例えば２０バールで膨張したものである。
【００３９】
有利には，安定化のための本用途において，安定化ジャケットの装置のコントロールパネルは，装置の予期された潜水において安定化機能を作動／停止させるための光スイッチを備えてもよい。
【００４０】
有利には，コントロールパネルは，装置の以下の機能のうちの少なくとも１つをそれぞれ作動させる／停止させるための少なくとも１つの光スイッチを更に備えてもよい。
・低速浮上，
・急浮上，
・低速潜降，
・急潜降，
・休止
【００４１】
対象物がスイッチに適用される場合に限り，光スイッチは，１つのファイバーから他のファイバーに光が透過されるようにこの装置内に配置された少なくとも２つの光ファイバーを備えた制御装置を意味する。「静止時」はスイッチは開いており，このスイッチに関連するコマンドの電子装置に対して送信させる対象物（例えばダイバーの指）が適用されるときにだけ閉じる。若しくは，静止時はスイッチが閉じており，ユーザの指で光回路を開くように設けることが可能である。
【００４２】
間違った操作を回避するために，ユーザが一定の時間，例えば１秒間自身の指をスイッチ上で維持するか，又は自身の指の第２の適用によって自身のコマンドを確認する場合のみ実行されるコマンドを，同じスイッチ若しくは検証スイッチのいずれかに提供することは可能である。また，光スイッチの色の違いで示すコマンドの実行を提供することも可能である。
【００４３】
これらの光スイッチによってダイバーから与えられる命令に従って，装置は，ダイバーの潜水深さ又は浮上若しくは潜降の速度のいずれかを制御する。
【００４４】
これは，ダイバーの潜水又は潜降若しくは浮上のレートをダイバーが監視することから軽減し，ダイバーは，コントロールパネルによって命令を与える。命令及びダイバーが位置する圧力は，圧縮機又はバルブのモータを制御する電子回路によって処理される。電子装置によって実行された制御は有利であり，例えば，深さ及び浮上レートの限界を上回らないようにすることを可能にする。
【００４５】
当然，十分に装備したダイバーは，バッグが空の場合（それはダイバーが潜降する傾向を有するに違いないということである），わずかな負の浮力を有していなければならず，この浮力はリードバラストによって調整され，これらのバラストはジャケット上の適切なポケット内に取り付けることができる。
【００４６】
休止機能は，深さを調整するシステムを休止することで構成されるのに対し，ダイバー自身は，例えばダイバーをわずかに浮上させることになる息を吸うことによって，又は，ダイバーをわずかに潜降させることになる息を吐くことによって，潜水深さを維持する。
【００４７】
本発明は，本発明の装置を備えたダイバー用の閉回路リサイクル装置にも関する。閉回路呼吸装置のための用途において，装置は，ダイバーによって呼吸された混合酸素の分圧を測定して制御し，この分圧が許容範囲内にとどまるように純酸素の吸気を調整する。
【００４８】
実施形態及び変形例を，添付の図面を参照して，非限定的な例として以下に述べる。
【図面の簡単な説明】
【００４９】
【図１】本発明による装置を概略的に示す。
【図２】正面図において，閉回路潜水ジャケットを装備したダイバーの胸を概略的に示す。
【図３】後方から見た潜水ジャケットを概略的に示す。
【図４】後方から見た潜水ジャケットを概略的に示す。
【図５】安定化及び浮上／潜降コントロールパネルの拡大図を示す。
【００５０】
図１は，本発明による電子装置５０を示す。装置５０は，樹脂ブロック５１内に埋設されており，このブロック内で透視して見える。そして，装置５０は，
・電子カード上に搭載された従来設計の電子回路５２であって，この電子回路の詳細な構成は，装置によって実現される機能に依存するが，概して少なくとも１つのマイクロプロセッサ５２ａを備える，電子回路５２と，
・装置に電力を供給するように設計された電磁誘導充電電池５３と，
・電子回路５２に接続された圧力センサ５４であって，樹脂がこのセンサに対して圧力を伝えるため，水に触れる必要がなく，電子カード上に直接取り付け可能な圧力センサ５４と，
・電子回路５２に接続された温度センサ５５であって，センサと海水との間のあらゆる接触を防止するために，有利には樹脂ブロックの内部でこの樹脂ブロックの１つの面に近接して配置される温度センサ５５と，
・樹脂ブロック５１の１つの面上に出現し，光ファイバーによって電子回路５２に接続された光ソケット５６ａ，５６ｂ，５６ｃであって，代替的に光ファイバーケーブルが樹脂ブロック５１から直接出るために備えることができる光ソケット５６ａ，５６ｂ，５６ｃと，
・樹脂ブロック５１を通過する，チャネル５７ａ，５７ｂ，５７ｃ内に収容された圧縮機，バルブ，又はシャッタと
を備える。
【００５１】
図２〜図５は，潜水ジャケットのための本発明による電子装置の２つの用途を示す。
【００５２】
基本装備：リサイクル型潜水ジャケット
本発明によるジャケット１００は，上記のような少なくとも２つの電子制御装置であって，一方は潜水における安定化のため，他方は閉回路リサイクル装置のための電子制御装置を備え，電子制御装置の各々は，樹脂ブロック内に含まれる電子回路及び電池を備える。
【００５３】
ジャケットは通常のジャケットのように身につけるが，気体ボンベ，又は膨張可能なバッグ，又は電子装置，又はＣＯ２吸収剤を含むバッグのいずれかを各々が含むポケットに特徴がある。また，ジャケットは，ヘルメット１０１を備えてもよい。
【００５４】
ジャケットは，光ファイバーのネットワークと，可撓性の気体ダクトのネットワークとを備える。光ファイバーは，情報を伝え，４バールまでの呼吸可能な混合気をダクトに通す。
【００５５】
ジャケットは，開いたポケットと，例えば接着又は溶接によって閉じたポケットとを備える。
ジャケットの開いたポケットは，
・後方に，電子装置１７，約３リットルの容量を有する２００バールの純酸素ボンベ１９，ＣＯ２吸収剤２０，例えば定期的に交替される石灰の可撓性バッグ，
・ジャケットの前方に，緊急時にヘルメット上のノズル２に電力を供給するための減圧弁を有する圧縮空気ボンベを備える緊急時セット６
を含む。
【００５６】
閉じたポケットは，ケブラー又は別の破れにくい生地によって保護される。閉じたポケットは，
・ジャケットの前面において，閉回路リサイクル装置の人工の肺５，及び，胸の高さにおいて，浮上，潜降，及び安定化を可能にするバランスバッグ１１，
・肩の上において，浮上を可能にするバッグ２４
を含む。
【００５７】
安定化及び浮上／潜降機能
従来の潜水において，ダイバーは，安定化バッグ（又は「ＢＣジャケット」）を手動的に膨張，収縮させることによって浮上，潜降し，自身の肺（バラスト肺）を膨張，収縮させることによって自身の潜水に磨きをかける。ここで，ダイバーが空気を排出しないと，バラスト肺の操作は効果がない。従って，アセンブリは，ジャケットの閉じたポケット内に収容された膨張可能なバッグにより置き換えられる。
【００５８】
４つの膨張可能なバッグは，潜水を安定させるために，且つ浮上又は潜降するために，胸の高さに前方に２つ後方に２つ（１つのみ，参照番号１１が示されている）配置される。
【００５９】
また，急浮上用の付加的な浮力を与えるように意図された２つの膨張可能なバッグ２４が肩の上に配置される。バッグ２４は，ダイバーの頭の上方に浮上させるように経験不足のダイバーを押し進めるために肩の上に配置される。
【００６０】
光学的な安定化及び浮上／潜降スイッチ２９〜３４の形態のコントロールボタンを備えるコントロールパネル２３は，左手首の上に配置される。コントロールパネル２３は，電流が流れないように，光ファイバーケーブルによって電子的な安定化及び浮上／潜降装置２２に接続される。
【００６１】
２つの圧縮機は，２０バールにて１つ以上の圧縮空気ボンベ２１から来る空気を，局所的な圧力下の膨張可能なバッグ１１，２４と連通することを必要に応じて可能にする電子的な浮上／潜降装置２２内に配置される。これらの圧縮機は，電子制御回路及び電池と同じ樹脂内に埋設される。このように，水に触れる電気的コネクタは存在しない。同じ理由により，電池は誘導式で再充電される。
【００６２】
安全性の理由から，装置は全て二重化され，急浮上／潜降の光ファイバーネットワークは，低速浮上／潜降のネットワークから分離される。電子装置もまた，宇宙開発産業のようなマスターシステムにより二重化される。導管のシステム及びファイバーのネットワークは全て，ケブラータイプの破れにくい織物又は金属シェルによって衝撃や裂傷から保護される。
【００６３】
低速浮上／潜降命令は，肺の高さにあるバランスバッグのみを膨張させる。急浮上／潜降命令は，肩の高さにあるバッグ２４を更に膨張させる。これは，２つの完全に独立した回路を有することを可能にし，浮上ネットワークが障害を起こした場合には，正常な他方のネットワークが，ゆるやかに浮上することを可能にする。
【００６４】
光制御は，ボタンを継続的に照らす光搬送ネットワークを備える。以下の２つの機能が想定される。すなわち，指を近づけると，指が，別のファイバーへ光の一部を反射して命令を送信し，又は，指が２つのファイバー間の点灯回路を切断し，このような切断命令を与える。
【００６５】
耳のバランス化
潜降の間，鼓膜の外部面に対する水の圧力が増加し，内部面に対する圧力からそれていき，激痛を引き起すかもしれない。耳のバランスをとるために，例えば「バルサルバ法」が実行される。すなわち，ダイバーは，自身の鼻をつまんでその中に息を強く吹き込むと，鼓膜のいずれかの側に対する圧力のバランスをとることになり，この操作は，潜降の間を通じて繰り返される。
【００６６】
この操作の習得を回避し，更に大きなマスクをできるようにするために，ジャケットヘルメットは，耳の上に２つの小さな膨張可能なバッグ２６を組み込む。これらのバッグの中で圧力／負圧のサイクルを実行することで，耳のバランス化を支援する。これらのサイクルは，空気回路内の小型のラム又は可撓性膜によって生じることができる。可聴域（２０Hz〜２０，０００Hz）の範囲を越えたままになることに注意する。これらの膨張可能なバッグは，コントロールパネル２３上の専用のボタン３５によって制御される。
【００６７】
閉回路リサイクル装置の機能
本発明によるジャケットの基本原理は，閉回路リサイクル装置により潜水することである。ダイバーによって吐き出された空気は，ＣＯ２を吸収し，且つ未使用の二原子酸素が通過することを可能にする吸収剤のバッグ２０の中に送り込まれる。ＣＯ２吸収剤（石灰又は同種のもの）は，脊柱に沿って収容された可撓性バッグ２０内に含まれる。このように，ダイバーの動きは，優先的な通過が生じるのを防止し，石灰を混合する。
【００６８】
小型のボンベ１９内に含まれる付加的な純酸素は，吸収剤のバッグを通過した空気に付加される。混合気内の酸素の分圧は，この機能に専門のセンサ及び電子装置１７によって継続的に監視される。
【００６９】
酸素のパーセンテージは，深さだけでなく，ダイバーの状態，特にタイバーの脈拍，欠乏（瞳など）の状態，又は緊急浮上の兆候を示す他の生理学のデータによっても計算される。
【００７０】
深さ及び温度に適した気流が確立され調整される，口及び鼻を密閉するヘルメットの使用は，初心者ダイバーに対して使用を簡単にするだけでなく，バッファタンクをシステムに追加しないようにする。
【００７１】
生理学的状態及び気体の構成上のデータは，全て光ファイバーによって伝えられる。このために，測定ダイオード（特にレーザダイオードなどによる酸素のパーセンテージ）は，電子機器及び電池を備える電子装置内に収容されることになり，その結果，樹脂ブロックの外側で循環する電流又は信号は存在しない。
【００７２】
電子機器及びセンサは全て，どのシステムを信頼するかを判定するためにマスタプロセッサによって二重化される。電子装置１７，２２の光ファイバー及びダクトのネットワークは，ケブラー又は同等物によって裂傷から保護される。
【００７３】
潜水情報パネル１６
ダイバーの状態の情報は，混合気１７を制御する電子装置によって生成され，光ファイバーネットワークによって右手首に送信される。手首上に電子機器は存在せず，従来のビットマップディスプレイマトリックス内の光ファイバーを展開するだけである。
【００７４】
残りの潜水時間は，起こり得る最悪のケースに対して計算され，浮上して水平になるスポットの少なくとも３０分前の現深さでの残りの時間である。
【００７５】
緊急機能
ジャケットは，電子装置に障害があるか，又は電子装置に障害がありそうな場合に，浮上することができて，且つ安全な減圧停止を実施することができるように，２００バールでの小型の圧縮空気ボンベ６，減圧弁，及び従来のノズル２を組み込む。
【００７６】
浮上の間に，電子浮上装置２２に接触されなければ，ダイバーへの注意ためのアドバイス（「吐く呼吸を忘れないこと，浮上装置があなたを浮上させる（ascender makes you）よりも速く浮上しないこと，など」）がされることになる。
【００７７】
また，光だけでなく断続音も，緊急浮上が行われていることを他のダイバーに対して示すことになる。
【００７８】
緊急浮上ボタン
パニックの場合には，ダイバーが，緊急浮上を作動させる「非常停止」タイプ４のボタンを押すことができる。このボタンは，右肩の上に位置し，光ファイバーの制御ネットワークに接続される。
【００７９】
この場合，混合システムは，酸素と呼吸との混合を高めることになり，ヘルメットは，心を落ち着ける光によって照らされることになり，安全な命令（「泳がないこと，垂直のままでいること，など」）が与えられることになる。浮上システムは，急浮上を作動させることになり，生理的条件（特に深過ぎない又は長過ぎない潜水）を満たせば，安全な減圧停止は実施されないことになる。
【００８０】
カメラ又は写真装置のオプション
写真装置又はカメラ１３のレンズは，マイクロホンと共にヘルメットの最上部上に配置される。フラッシュ（複数可）２７は，レンズと耳との間のヘルメット上に配置される。これは，水中の，従って画像内の，浮遊物の粒子を直接照明しないことを可能にする。音波は，レンズと共に取り込まれ，視覚電子機器３までチューブによって再送される。
【００８１】
光ファイバーネットワークは，ヘルメットの内部の，撮影された領域を示し，設定は，最近のコンパクトカメラのような従来のショットに対して最適化され得る。装置の電子機器は，その誘導充電式電池と共に樹脂内に埋設され得る。
【００８２】
光は，光ファイバーによってレンズから写真装置又はカメラに伝送されることになる。光又はフラッシュも同様である。これらのファイバーは，ケブラーによって保護されないだろう。
【００８３】
誘導又は解説のオプション
これらのオプション，「写真装置」機能，すなわち，レンズ及び光ファイバーによる情報の再生，光ファイバーによるマスクの投影，樹脂内に埋設されており，同じ樹脂ブロック内に埋設され，且つ誘導式で充電された電池によって電力供給される電子機器の処理と同じ方法で実施され得る。
【００８４】
「誘導オプション」：潜水位置は，ほぼ全て認識されており，マッピングされる。潜降の前にＧＰＳによって起点を知ると，光学式認識は，自分自身の位置を定めて，現場の重要な興味ある主要ポイントに従ってどこに行くべきかを認識することを可能にする。ダイバーが新規の何かを認識する場合，深さ及び場所が認識されている。ダイバーがこれを撮影し，その後，専用のウェブサイトに接続すれば，写真及びその座標が次のダイバーのために絶えず更新されるデータバンクに追加されることになる。
【００８５】
「解説」オプション：潜水開始の前に，潜水が行われる場所の大部分の生存種の説明を含むデータベースをダウンロードすることが可能である。潜水の間に，瞬き検出装置は，ヘルメット内の投影によって，認識された動物若しくは植物の名前及び特性を表示する光学式認識ソフトウェアを作動させる。光学式認識は，ダイバーに，潜在的な危険の警告をするために継続的に機能する。ソフトウェアが危険な動物又は植物を認識すれば，それはそのヘルメット内に特性を表示し，必要に応じて，ダイバーをそこから離れて移動させるために，わずかなバッグの膨張を作動させることになる。
【００８６】
ボートオプションのためのＧＰＳ及び無線呼出
ＧＰＳ及び無線アンテナ２５は，ヘルメット内の首の高さにある。水を離れる場合，システムは，自動的に作動する（圧力＝出発気圧）。アンテナコネクタを有する電子機器の残りの部分と同じ実装が，電子機器及び電池と同じように樹脂内に埋設される。
【符号の説明】
【００８７】
１：ヘッドアップディスプレイ
２：緊急ノズル
３：視覚電子機器
４：緊急浮上ボタン
５：人工呼吸器の人工の肺
６：緊急アセンブリ
７：弾性ベルト
８：ベルト通し
９：電子機器，ＧＰＳ，無線
１０：リードウェイト用のポケット
１１：浮上／潜降用のバランスバッグ
１２：写真及びフィルム電子機器
１３：写真装置又はカメラ
１４：純空気ダクト（ヘルメット入口）
１５：汚染空気ダクト（ヘルメット出口）
１６：潜水及び脈拍の読み取り情報パネル
１７：呼吸に適した混合気の生成及び監視ための電子機器を備える電子装置
１８：呼吸に適した圧縮空気ボンベ（希釈剤）（２００バール）
１９：酸素ボンベ
２０：石灰の可撓性バッグ
２１：浮上／潜降のための圧縮空気ボンベ（２０バール）
２２：安定化及び浮上／潜降用の電子機器を備える電子装置
２３：浮上／潜降コントロールパネル
２４：急浮上のための膨張可能なバッグ
２５：ＧＰＳ及び無線アンテナ
２６：耳用の震動部
２７：フラッシュ又はトーチ
２８：ケブラーにより覆われる部分
２９：急潜降ボタン
３０：急浮上ボタン
３１：低浮上ボタン
３２：低潜降ボタン
３３：安定化ボタン
３４：一時停止ボタン
３５：耳振動ボタン
５０：電子機器
５１：樹脂ブロック
５２：電子回路
５２ａ：マイクロプロセッサ
５３：電池
５４：圧力センサ
５５：温度センサ
５６ａ，５６ｂ，５６ｃ：光ソケット
５７ａ，５７ｂ，５７ｃ：圧縮機ダクト
１００：ジャケット
１０１：ヘルメット
【図１】
0006284529.tif 000002
【図２】
0006284529.tif 000003
【図３】
0006284529.tif 000004
【図４】
0006284529.tif 000005
【図５】
0006284529.tif 000006